(57)【要約】      （修正有）【課題】不使用時は取っ手の凹みをなくし、使用時には必要な凹みを現出させて取っ手として使用でき、また何れの部位も凹ませることができるようにして方向性をなくし、デザイン的な向上と施工性の向上を図る。【解決手段】ケーシング１の前面に施された窓２の周辺に係止縁４を形成し、ケーシング１に後退可能に収納されたカバー５の背面を弾性押し圧部材３により弾発してその周縁１５を上記係止縁４に弾接させる。使用時にカバー５を押すと押した部分が内方に凹み、係止縁４に指を掛けて襖や引戸を開閉できる。【選択図】図１
2006328796.tif 000002
【特許請求の範囲】
【請求項１】
ケーシング１の前面に施された窓２の周辺に係止縁４を形成し、ケーシング１に後退可能に収納されたカバー５の背面を弾性押し圧手段３により前方に押し付けてカバー５の周縁１５を上記係止縁４に弾接させて成ることを特徴とする取っ手。
【請求項２】
カバー５を合成樹脂で形成し、弾性押し圧手段３をカバー５と一体に形成したことを特徴とする請求項１に記載の取っ手。
【請求項３】
窓２が複数個である請求項１又は２に記載の取っ手。
【発明の詳細な説明】
【技術分野】
【０００１】
本発明は、普段は凹みを意識させず、使用時は指先が掛かって戸の開け閉めをすることができ、しかも上下左右のいずれの側からでも指を掛けて使用でき、取り付けに当たっても方向性がなく施工性が良い取っ手に関するものである。
【背景技術】
【０００２】
従来から襖などの引き戸には浅く凹んだ取っ手（引き手）が一般的に使用されている。
【０００３】
しかし、平面の一部が取っ手の所だけ凹むことになり、デザイン的にアクセントになるものの、逆にそこがネックになることもあり、全体的に平面構成として統一させたい場合、単一性に欠ける欠点があった。
【発明の開示】
【発明が解決しようとする課題】
【０００４】
本発明は、通常は凹みがなく、面としてのデザインに統一性を持たせることができ、しかも引き戸の開け閉め時には何れの側（部位）でも凹ませて指を掛けることができ、また方向性がないために取り付けの施工性が向上する取っ手を提供するものである。
【課題を解決するための手段】
【０００５】
本発明の主たる特徴は、ケーシング１の前面に施された窓２の周辺に係止縁４を形成し、ケーシング１に後退可能に収納されたカバー５の背面を弾性押し圧手段３により前方に押し圧し、カバー５の周縁１５を上記係止縁４に弾接させたことである。
【発明の効果】
【０００６】
本発明にあっては上述のように、カバー５は背面が弾性押し圧手段３により前方に押し圧され弾発されているだけであるから、指で触れていない部位が係止縁に接触したままいわば軸となり、指で触ったところが凹んで指が係止縁４に掛かり、子供や年寄りのような力の弱い者でも軽い力で操作できるものであって、操作性が良好である。特に高いところの引戸を開け閉めする場合には、閉めようとする真横（左右）の側縁ではなく、下を押さえてもカバー５が凹んで指が掛かり、開け閉めがし易い。
【０００７】
また、カバー５の背面が弾性押し圧手段３で弾発されていて、周辺の何れの部位も指で軽く押せば凹み、方向性がないため、取り付けは何れの向きに行なっても同一の機能を発揮するものであり、施工性が良い。
【０００８】
更にデザイン面から見ると、通常はカバー５が前面に迫り出しているため、全体を平坦なデザインに納めることができるものであって、従来のように取っ手の部分が凹み、平面性を損なうことがなく、全体として壁面に溶け込む均一な平面デザインを達成できる。しかも凹みがなくなるので、長期使用に当たっても、取っ手部分にゴミがたまりにくい利点もある。
【発明を実施するための最良の形態】
【０００９】
以下本発明を添付図面に基づき詳細に説明する。図１において薄箱状のケーシング１はアルミニウムや鉄、銅等の金属、木、合成樹脂等の任意の素材で形成されるもので、全面に開口した窓２の周辺が内方に折り返されて係止縁４が形成され、この係止縁４をストッパとして、ケーシング１に収納されたカバー５はコイルばねを弾性押し圧部材３として用い、これにより後方から係止縁４の方に常時弾発されている。１５は係止縁４に当接するカバー５の周縁である。尚、窓２の周辺を折り返さず、窓２の開口縁を直ちに係止縁４としても構わない。
【００１０】
６は裏蓋で、その中央部には、必要に応じて弾性押し圧部材３保持用の係止凸部７が設けられ、また、カバー５の裏面にも必要に応じて同様の係止凸部８が設けられていて、弾性押し圧部材３の両端が係止凸部７、８に保持される。
【００１１】
上記例では弾性押し圧部材３としてコイル状のばねを用いた例を示したが、線状のばねや板状のばねでも構わない。図５は蛇腹上の軟質樹脂容器に空気などの流体を密封した弾性体を弾性押し圧部材３に使用したものであり、図６は対になった板のばね両端を固着したものを弾性押し圧部材３として使用した例、図７は合成樹脂や金属の弾性体で複数の脚を周囲に突出させて変形自在としたものを弾性押し圧部材３とした例である。
【００１２】
また図８は、カバー５を合成樹脂で成形するとともに、これと一体に弾性押し圧部材３を形成した例であって、弾性押し圧部材３がカバー５と一体であるため、別体の場合のように組み込む過程が不要となり、コストの低減が期待できると共に、弾性押し圧部材３はカバー５より外れることもないので、動作の安定性が向上する。尚、弾性押し圧部材３はその他、一対の線状ばねの中央部を枢支したものを用いたり、ガススプリングを用いても良い。いずれにしてもカバー５を裏面側より前面に弾性的に押し付けるものであれば制限なく使用できる。
【００１３】
また、弾性押し圧部材３は一つのカバー５に対して一つ設ける他、任意の複数個を設けることができる。図９は４個の弾性押し圧部材３を用いた例を示す。
【００１４】
全体の平面形状は図１では略正方形であるが、長方形、円、楕円、ひし形、三角形やその他の多角形、その他任意の形状とすることができる。また、図１０はケーシング１に複数の窓を設け、その窓２の夫々にカバー５を装着したもので、いずれのカバー５も弾性押し圧部材により周縁１５が係止縁４に弾発されている。この窓２の数、配列も任意である。
【００１５】
（使用方法）
本発明取っ手は、図１のように襖や引戸等の戸面１０の側端近くに施された凹所又は透口１１に装着して施工し、使用されるもので、外観は一見、凹みがなく平坦であるが、窓２から見えるカバー５のどこを触ってもその部位が凹んで指が係止縁４に掛かり、左右上下の何れの方向にも戸を閉めることができる。指を離すとカバー５は元通りに復帰して平坦に戻る。
【００１６】
尚、戸面１０への取り付けが透口１１の場合は、裏蓋６の周辺をケーシング１よりもやや外方に張り出すように形成して、透口１１の裏側周辺に取り付けるようにすることができる。１２は裏蓋６に施された取り付け穴で、ネジ孔１３にネジ止めしてケーシング１に裏蓋６が装着される。１４は裏蓋６を透口１１周辺にネジ止めするための取り付け孔である。
【００１７】
本発明にあって、使用しないときはカバー５は弾性押し圧部材３により前方に押し出され、周縁１５が係止縁４に密着して窓２を塞いでいるが、例えば図３、図４、図８のＡ部分を矢印ａの方向に押すと、Ｂ部分が軸となりＡ部分は弾性押し圧部材３に抗して内方に沈んで凹みができ、係止縁４にそのまま指を掛けて矢印ｂ方向に引くことができる。引き終わり、力を抜くと弾性押し圧部材３でカバー５は元の状態に復帰する。逆の方向に引く時は、Ｂを押せば、その所が凹んで逆に引くことができる。上下の場合も同様である。
【産業上の利用可能性】
【００１８】
本発明にあっては、左右にスライドさせる襖や引戸に適用できる他、上下の引き違い戸、可動パーティション、天井や床の点検口蓋、キャビネットの押し込み可能な持上げ用取っ手等にも適用することができるもので、戸面や壁面の適所に施された取っ手装着用の凹所に本発明取っ手を装着して使用することができるもので、その場合に従来の引戸のように凹みが目立たず、平面的な壁状のフラットな外観を達成できる。
【図面の簡単な説明】
【００１９】
【図１】本発明の一実施例の分解斜視図。
【図２】同上の逆方向からの斜視図。
【図３】同上の作用説明斜視図。
【図４】同上の作用説明断面図。
【図５】同上の蛇腹を用いた実施例の分解斜視図。
【図６】同上の合わせ板ばねを用いた実施例の分解斜視図。
【図７】同上の複数の脚をもつばねを用いた実施例の分解斜視図。
【図８】同上の複数の脚をもつばねをカバーと一体に成形した実施例の作用説明断面図。
【図９】同上の複数の弾性押し圧部材を用いた例の平面図。
【図１０】同上の複数の窓を有する実施例を示すもので、（ａ）は一部切り欠いた側面図、（ｂ）は平面図、（ｃ）は底面図。
【符号の説明】
【００２０】
１  ケーシング
２  窓
３  弾性押し圧部材
４  係止縁
５  カバー
１５  周縁
【図１】
2006328796.tif 000003
【図２】
2006328796.tif 000004
【図３】
2006328796.tif 000005
【図４】
2006328796.tif 000006
【図５】
2006328796.tif 000007
【図６】
2006328796.tif 000008
【図７】
2006328796.tif 000009
【図８】
2006328796.tif 000010
【図９】
2006328796.tif 000011
【図１０】
2006328796.tif 000012